(57)【特許請求の範囲】
【請求項１】
コイルばねを連続的にショットブラストする設備においてコイルばねを連続的に搬送する方法であって、
研掃室を構成するキャビネットを水平に貫通して延びる回転ロールの上に、コイルばねを横にして載せてこのコイルばねを自転させるとともに、前記回転ロールに沿って移動する車輪付きケージにより前記回転ロール上のコイルばねを移動させることを特徴とするコイルばねの連続式ショットブラスト設備におけるコイルばねの搬送方法。
【請求項２】
コイルばねを連続的にショットブラストする設備においてコイルばねを連続的に搬送する装置であって、
研掃室を構成するキャビネットにおけるばね搬入口およびばね搬出口を水平に貫通して延びるレールと、
このレールに沿って延びかつレール間に配設され横にして載せられたコイルばねを自転させる回転ロールと、
前記レール上を走行して前記回転ロール上のコイルばねを収納して移動させる複数の車輪付きケージと、
前記キャビネットのばね搬入口付近に配置され前記レール上に車輪付きケージを順次送り込むケージ送り込み装置と、
を具備し、
前記ケージ送り込み装置は、前記車輪付きケージに係止可能な係止機構を複数有する無端ローラーチェーンと、無端ローラーチェーンが架け渡された２個の鎖車と、鎖車を回転駆動する駆動手段とを、備えたことを特徴とするコイルばねの連続式ショットブラスト設備におけるコイルばね搬送装置。
【請求項３】
請求項２に記載のコイルばねの連続式ショットブラスト設備におけるコイルばね搬送装置において、
前記車輪付きケージは、上から見たときコ字状を成していて、車輪を装着した一対の側部とこれら一対の側部の先頭端間を連結する連結部とを備えたことを特徴とするコイルばねの連続式ショットブラスト設備におけるコイルばね搬送装置。
【請求項４】
コイルばねを連続的にショットブラストする設備においてコイルばねを連続的に搬送する装置であって、
研掃室を構成するキャビネットにおけるばね搬入口およびばね搬出口を水平に貫通して延び横にして載せられたコイルばねを自転させる回転ロールと、
前記回転ロール上を走行してこの回転ロール上のコイルばねを収納して移動させる複数の車輪付きケージと、
前記キャビネットのばね搬入口付近に配置され前記回転ロール上に車輪付きケージを順次送り込むケージ送り込み装置と、
を具備し、
前記ケージ送り込み装置は、前記車輪付きケージに係止可能な係止機構を複数有する無端ローラーチェーンと、無端ローラーチェーンが架け渡された２個の鎖車と、鎖車を回転駆動する駆動手段とを、備えたことを特徴とするコイルばねの連続式ショットブラスト設備におけるコイルばね搬送装置。
【請求項５】
請求項４に記載のコイルばねの連続式ショットブラスト設備におけるコイルばね搬送装置において、
前記車輪付きケージは、
コイルばねを収納可能な空間を有しかつ下面に前記回転ロールに係止可能であるとともに前記回転ロールの延長方向に対して所要角度傾斜した支持軸によって軸着された４個の車輪を備えたことを特徴とする車輪付きケージ。
【発明の詳細な説明】
【０００１】
【発明の属する技術分野】
本発明は、コイルばねを連続的にショットブラストする設備においてコイルばねを連続的に搬送する方法並びにその装置および車輪付きケージに関する。
【０００２】
【従来の技術】
従来、コイルばねを連続的にショットブラストする設備の一つとして、研掃室を構成するキャビネットに、ばね搬入口およびばね搬出口を貫通して延びるチェーンコンベヤを配設して、このチェーンコンベヤによって複数のコイルばねを連続的に搬送し、さらにコイルばねの搬送途中でショットを投射してコイルばねをショットブラストするように構成されたものがある。
【０００３】
【発明が解決しようとする課題】
しかし、このように構成された従来のチェーンコンベヤ式コイルばね搬送装置では、チェーンコンベヤがショットの投射を受けて早期に摩耗するため、このチェーンコンベヤのメンテナンスや設備の稼働率などの点で色々の問題があった。
【０００４】
本発明は上記の事情に鑑みて成されたもので、その目的は、メンテナンスや設備の稼働率の点で特長を有するコイルばねの連続式ショットブラスト設備におけるコイルばねの搬送方法並びにその装置および車輪付きケージを提供することにある。
【０００５】
【課題を解決するのための手段】
上記の目的を達成するために請求項１のコイルばねの連続式ショットブラスト設備におけるコイルばねの搬送方法は、コイルばねを連続的にショットブラストする設備においてコイルばねを連続的に搬送する方法であって、研掃室を構成するキャビネットを水平に貫通して延びる回転ロールの上に、コイルばねを横にして載せてこのコイルばねを自転させるとともに、前記回転ロールに沿って移動する車輪付きケージにより前記回転ロール上のコイルばねを移動させることを特徴とする。
【０００６】
【実施例１】
以下、発明の実施例について図１〜図６に基づき詳細に説明する。図１〜図３に示すように、本発明のー実施例を適用したコイルばねの連続式ショットブラスト設備は、研掃室を構成するキャビネット１と、キャビネット１の中をコイルばねを搬送するコイルばね搬送装置２と、コイルばね搬送装置２にコイルばねを供給するコイルばね供給装置３と、で構成してある。
【０００７】
また、前記コイルばね搬送装置２は、前記キャビネット１のばね搬入口５およびばね搬出口６を水平に貫通して延びるレール７・７と、このレール７・７に沿って延びかつレール７・７間に配設され横にして載せられたコイルばねを自転させる３本の回転ロール９・９と（図３参照）、前記レール７・７上を走行して前記回転ロール９・９上のコイルばねを収納して移動させる複数の車輪３３付きケージ４・４と、前記キャビネット１のばね搬入口５付近に配置され前記レール７・７上に車輪３３付きケージ４を順次送る込むケージ送り込み装置８と、コイルばね搬出後の車輪３３付きケージ４を元の位置に戻すケージ還元装置１０と、で構成してある。そして、前記車輪３３付きケージ４は、上から見たときコ字状を成していて車輪を装着した一対の側部４ａ・４ａと一対の側部４ａ・４ａの先頭端間を連結する連結部４ｂとで構成してある。
【０００８】
また、前記ケージ送り込み装置８は、図４および図５に示すように、前記車輪３３付きケージ４の突起部に係止可能な係止機構１１・１１を複数有する２条の無端ローラーチェーン１２と、２条の無端ローラーチェーン１２・１２が架け渡された２対の鎖車１３・１３・１４・１４と、一方の鎖車１４・１４を回転駆動する駆動手段１５と、で構成してあり、駆動手段１５は、減速機付きモータ１６と前記鎖車１４・１４嵌着の回転軸１６に嵌着された鎖車１７と前記減速機付きモータ１６の出力軸に嵌着の鎖車１８と、これら２個の鎖車１７・１８に架け渡された無端ローラーチェーン１９とで構成してある。そして、前記２対の鎖車１３・１３・１４・１４は２本の回転軸２０・１４および２対の軸受２１・２１を介して機台２２に装着してある。また、前記減速機付きモータ１６も機台２２に装着してある。
【０００９】
また、前記ばね供給装置３は、図１に示すように、前記ケージ送り込み装置８の真上に配設してあって、複数のばね搬送車２３・２３と、ばね搬送車２３・２３を循環させるばね搬送車循環機構２４とで構成してあり、前記ばね搬送車２３は、図５に示すように、底部が観音開きするようになっている。
【００１０】
また、前記ケージ還元装置１０は、図１に示すように、前記ケージ送り込み装置８および前記レール７・７の真下にこれらに沿って延びて配設されたレール２５・２５と、前記レール７・７の右端上の車輪３３付きケージ４をレール２５・２５の位置まで下降させるケージ下降機構２６と、前記レール２５・２５左端上の車輪３３付きケージ４をレール７・７の位置まで上昇させるケージ上昇機構２７と、車輪３３付きケージ４・４群を水平移動させる上下２対のシリンダ２８・２８・２９・２９と、で構成してある。
【００１１】
なお、図中符号３０はショット遠心投射装置、３１はショット回収用スクリューコンベヤである。
【００１２】
次に、このように構成した設備を用いてコイルばねＷを連続的にショットブラストする手順について述べる。まず、ケージ送り込み装置８の減速機付きモータ１６の駆動により２対の鎖車１３・１３・１４・１４を介して無端ローラーチェーン１２・１２を時計回り方向へ連続的に回転し、複数の車輪３３付きケージ４・４をキャビネット１内に順次送り込む。また、ばね供給装置３の複数のばね搬送車２３・２３の底部を順次開いて、３本の回転ロール９・９上における各車輪３３付きケージ４内に横置状のコイルばねＷを間欠的に供給する。これに伴い、供給されたコイルばねＷは、後行する車輪３３付きケージ４によって押されるようにしてキャビネット１内を通過し、かつキャビネット１を通過する間に３本の回転ロール９・９の回転により垂直面内で回転され、さらに、ショット遠心投射装置３０・３０からのショットを受けて研掃される。こうして、研掃されて右方へ移送されたコイルばねＷは、設備の右方端から押し出されて排出される。
【００１３】
一方、設備の右方端へ移送された車輪３３付きケージ４を、ケージ還元装置１０のケージ下降機構２６によってレール２５・２５の位置まで下降させ、続いて、シリンダ２９・２９によって順次左方へ移送させる。設備の左方端に移動した車輪３３付きケージ４を、ケージ上昇機構２７によってレール７・７の位置まで上昇させ、続いて、シリンダ２８・２８によって無端ローラーチェーン１２・１２に送り込む。以上の操作を繰り返し行なうことにより、コイルばねＷを連続的に研掃することができる。
【００１４】
なお、上記の実施例では、車輪３３付きケージ４は、シリンダ２８・２８によって押されて移動するように構成してあるが、車輪３３付きケージ４を図６に示すように、前記回転ロール９・９に係合可能であるとともに前記回転ロール９・９の延長方向に対して所要角度傾斜した支持軸によって軸着された４個の車輪３３・３３を下面に装着し、かつ前記回転ロール９・９間に緩入可能な突起部を下端に形成した構造にしてもよく、この場合は、車輪３３付きケージ４は、回転ロール９・９の回転に伴って車輪３３・３３を介して回転ロール９・９上を進行するため、レール７・７およびシリンダ２８・２８を省略することができる。
【００１５】
【発明の効果】
上記の説明から明らかなように、請求項１の発明は、コイルばねを連続的にショットブラストする設備においてコイルばねを連続的に搬送する方法であって、研掃室を構成するキャビネットを水平に貫通して延びる回転ロールの上に、コイルばねを横にして載せてこのコイルばねを自転させるとともに、前記回転ロールに沿って移動する車輪付きケージにより前記回転ロール上のコイルばねを移動させるから、チェーンコンベヤを用いることなく、コイルばねを移送することが可能により、これに伴って、従来のこの種の装置に比べて、メンテナンスが極めて容易になるとともに設備の稼働率を上げることができるなどの優れた実用的効果を奏する。
【図面の簡単な説明】
【図１】本発明の一実施例を示す概略正面図である。
【図２】図１の平面図である。
【図３】図１の左側面拡大詳細図である。
【図４】図１のＡ部拡大詳細図である。
【図５】図４の左側面図である。
【図６】車輪付きケージの他の実施例の平面図（イ）および正面図である（ロ）。
【符号の説明】
１ キャビネット
４ 車輪付きケージ
７ レール
８ ケージ送り込み装置
９ 回転ロール
係止機構
１２ 無端ローラーチェーン
１５ 駆動手段
１７・１８ 鎖車
【図１】
0003700919.tif 000002
【図２】
0003700919.tif 000003
【図３】
0003700919.tif 000004
【図４】
0003700919.tif 000005
【図５】
0003700919.tif 000006
【図６】
0003700919.tif 000007